(57)【要約】【課題】省エネに寄与する行為の実行により得られた使用電力削減効果をユーザに知らせること。【解決手段】情報提示装置１００の制御部１０４は、機器が実際に消費したエネルギーの量である第１の消費量を計測する第１の消費量計測部３０１と、建物の区画において検出されたその区画の環境を示す環境値に基づいて、その環境値を維持するために機器が消費するとされるエネルギーの量である第２の消費量を算出する第２の消費量算出部３０２と、第２の消費量と第１の消費量との差分を示す差分情報を生成し、その差分情報を出力する情報生成部３０３と、を有する。【選択図】図２
2017068623.tif 000002
【特許請求の範囲】
【請求項１】
所定の建物における所定の区画に設置された機器により消費されるエネルギーに関する情報を提示する情報提示方法であって、
前記機器が実際に消費したエネルギーの量である第１の消費量を計測し、
前記区画において検出された該区画の環境を示す環境値に基づいて、該環境値を維持するために前記機器が消費するとされるエネルギーの量である第２の消費量を算出し、
前記第２の消費量と前記第１の消費量との差分を示す差分情報を生成し、該差分情報を所定の端末に出力する、
情報提示方法。
【請求項２】
前記環境値と前記第２の消費量との対応関係が予め定められた第１の対応関係データを取得し、
前記区画において前記環境値を検出する環境センサから前記環境値を取得し、
前記第１の対応関係データにおいて、前記環境センサから取得した前記環境値に対応する前記第２の消費量を決定し、
決定した前記第２の消費量と前記第１の消費量との差分を示す差分情報を生成する、
請求項１に記載の情報提示方法。
【請求項３】
前記第１の対応関係データは、
過去に計測された前記第１の消費量と、過去に検出された前記環境値とに基づいて学習されたデータである、
請求項２に記載の情報提示方法。
【請求項４】
前記区画、前記機器、および前記環境センサの対応付けは、予めユーザにより指定される、
請求項２に記載の情報提示方法。
【請求項５】
前記建物が前記区画を複数備えている場合、前記ユーザにより前記区画の指定を受け付け、
前記ユーザにより指定された前記区画に対応付けられた前記機器に関する前記第１の消費量と前記第２の消費量に基づいて、前記差分情報を生成する、
請求項４に記載の情報提示方法。
【請求項６】
前記区画に、異なる種類の前記機器が複数設置され、かつ、異なる種類の前記環境センサが複数設置されている場合、前記ユーザにより前記機器の指定を受け付け、
前記ユーザにより指定された前記機器に関する前記第１の消費量と前記第２の消費量に基づいて、前記差分情報を生成する、
請求項４に記載の情報提示方法。
【請求項７】
前記区画に、異なる種類の前記機器が複数設置され、かつ、異なる種類の前記環境センサが複数設置されている場合、前記ユーザにより前記環境センサの指定を受け付け、
前記ユーザにより指定された前記環境センサに対応付けられた前記機器に関する前記第１の消費量と前記第２の消費量に基づいて、前記差分情報を生成する、
請求項４に記載の情報提示方法。
【請求項８】
前記第１の消費量と前記第２の消費量とを所定期間毎に対応付けて所定の記憶装置に記憶させ、
所定のタイミングで前記所定の記憶装置から前記第１の消費量および前記第２の消費量を読み出し、該第１の消費量および該第２の消費量に基づいて前記差分情報を生成する、
請求項１に記載の情報提示方法。
【請求項９】
前記所定期間は、ユーザにより指定される、
請求項８に記載の情報提示方法。
【請求項１０】
前記環境センサは、照度センサであり、
前記環境値は、前記照度センサにより検出された前記区画の照度を示す値であり、
前記機器は、照明機器である、
請求項２に記載の情報提示方法。
【請求項１１】
前記環境センサは、温度センサであり、
前記環境値は、前記温度センサにより検出された前記区画の温度を示す値であり、
前記機器は、エアーコンディショナーである、
請求項２に記載の情報提示方法。
【請求項１２】
前記エネルギーの量と、費用との対応関係が予め定められた第２の対応関係データに基づいて、算出した前記差分に対応する費用を算出し、
算出した前記費用を示す費用情報を生成し、該費用情報を前記所定の端末に出力する、
請求項１に記載の情報提示方法。
【請求項１３】
前記差分情報に加えて、該差分情報が示す差分に応じたコメントを示すコメント情報を前記所定の端末に出力する、
請求項１に記載の情報提示方法。
【請求項１４】
前記差分の算出を所定間隔で行い、該差分を算出する度に該差分が所定の閾値を下回ったか否かを判定し、
前記差分が前記閾値を下回ったタイミングで、または、該タイミングから一定時間経過後に、前記機器が消費するエネルギーの量を低減させる制御を行う、
請求項１に記載の情報提示方法。
【請求項１５】
前記差分の算出を所定間隔で行い、該差分を算出する度に該差分が所定の閾値を下回ったか否かを判定し、
前記差分が前記閾値を下回ったタイミングで、省エネルギーに寄与する行為の実行を促す旨、または、今まで省エネルギーを達成できていた旨のいずれかを示すコメント情報を前記所定の端末に出力する、
請求項１に記載の情報提示方法。
【請求項１６】
前記差分の算出を所定間隔で行い、該差分を算出する度に該差分が所定の第１閾値を下回ったか否かを判定し、
前記差分が前記第１閾値を下回った場合、前記差分の算出に用いた前記第１の消費量が所定の第２閾値を上回ったか否かを判定し、
前記第１の消費量が前記第２閾値を上回った場合、前記機器のメンテナンスを促す旨のコメント情報を前記所定の端末に出力する、
請求項１に記載の情報提示方法。
【請求項１７】
前記環境センサにより検出された前記区画の内部の環境を示す前記環境値と、別途検出された前記区画の外部の環境を示す外部環境値との差が所定の閾値を下回った場合、前記機器が動作したタイミングで、前記機器により消費されるエネルギーが無駄になる旨、および、省エネルギーに寄与する行為の実行を促す旨の少なくとも一方を示すコメント情報を前記所定の端末に出力する、
請求項１に記載の情報提示方法。
【請求項１８】
前記差分情報および前記コメント情報の少なくとも一方を、前記所定の端末において画面表示および音声の少なくとも一方により出力する、
請求項１５から１７のいずれか１項に記載の情報提示方法。
【請求項１９】
前記所定の区画とは別の区画に対して生成された前記差分情報を取得し、該差分情報を前記所定の端末に出力する、
請求項１に記載の情報提示方法。
【請求項２０】
天候の予測に関する天候情報を取得し、
前記天候情報に基づいて、前記区画において前記機器を動作させることなく所定の環境を実現可能であるか否かを判定し、
前記判定の結果を示す判定結果情報を前記所定の端末に出力する、
請求項１に記載の情報提示方法。
【請求項２１】
所定の建物における所定の区画に設置された機器により消費されるエネルギーに関する情報を提示する情報提示装置であって、
前記機器が実際に消費したエネルギーの量である第１の消費量を計測する計測部と、
前記区画において検出された該区画の環境を示す環境値に基づいて、該環境値を維持するために前記機器が消費するとされるエネルギーの量である第２の消費量を算出する算出部と、
前記第２の消費量と前記第１の消費量との差分を示す差分情報を生成し、該差分情報を所定の端末に出力する生成部と、
を有する情報提示装置。
【発明の詳細な説明】
【技術分野】
【０００１】
本発明は、消費エネルギーに関する情報を提示する情報提示方法および情報提示装置に関する。
【背景技術】
【０００２】
従来、例えば住宅等において消費エネルギー（例えば、電気、ガス等）に関する情報を所定の端末装置に表示する技術が知られている。
【０００３】
例えば、特許文献１には、住宅の所定の部屋に設置された人感センサが無人であることを検出し、かつ、その部屋に設置された電気機器の電力消費を検出した場合に、電力の無駄がある旨を示す情報を表示する技術が開示されている。
【先行技術文献】
【特許文献】
【０００４】
【特許文献１】国際公開第１５／０４６３２０号
【発明の概要】
【発明が解決しようとする課題】
【０００５】
特許文献１の技術は、居住者に対して無駄な電力使用を知らせるものであり、居住者が省エネルギー（以下、省エネという）に寄与する行為（例えば、照明機器を消灯して自然光を取り入れる行為など）を行った場合に、その行為により得られた使用電力削減効果を居住者に知らせるものではない。
【０００６】
本発明の目的は、省エネに寄与する行為の実行により得られた使用電力削減効果をユーザに知らせることができる情報提示方法および情報提示装置を提供することである。
【課題を解決するための手段】
【０００７】
本発明の一態様における情報提示方法は、所定の建物における所定の区画に設置された機器により消費されるエネルギーに関する情報を提示する情報提示方法であって、前記機器が実際に消費したエネルギーの量である第１の消費量を計測し、前記区画において検出された該区画の環境を示す環境値に基づいて、該環境値を維持するために前記機器が消費するとされるエネルギーの量である第２の消費量を算出し、前記第２の消費量と前記第１の消費量との差分を示す差分情報を生成し、該差分情報を所定の端末に出力する。
【０００８】
本発明の一態様における情報提示装置は、所定の建物における所定の区画に設置された機器により消費されるエネルギーに関する情報を提示する情報提示装置であって、前記機器が実際に消費したエネルギーの量である第１の消費量を計測する計測部と、前記区画において検出された該区画の環境を示す環境値に基づいて、該環境値を維持するために前記機器が消費するとされるエネルギーの量である第２の消費量を算出する算出部と、前記第２の消費量と前記第１の消費量との差分を示す差分情報を生成し、該差分情報を所定の端末に出力する生成部と、を有する。
【発明の効果】
【０００９】
本発明によれば、省エネに寄与する行為の実行により得られた使用電力削減効果をユーザに知らせることができる。
【図面の簡単な説明】
【００１０】
【図１】本発明の実施の形態に係る情報提示システムおよび情報提示装置の構成の一例を示すブロック図
【図２】本発明の実施の形態に係る情報提示装置の制御部の構成の一例を示すブロック図
【図３】本発明の実施の形態に係る関数データの一例を示す図
【図４】本発明の実施の形態に係るテーブルの一例を示す図
【図５】本発明の実施の形態に係る情報提示処理の流れの一例を示すフローチャート
【図６】本発明の変形例に係る情報提示システムおよび情報提示装置の構成の一例を示すブロック図
【図７】本発明の変形例に係る関数データの一例を示す図
【図８】本発明の実施の形態に係るサーバおよび端末の機能をソフトウェアにより実現するコンピュータのハードウェア構成の一例を示す図
【図９】サービスの類型１（自社データセンタ型）を示す図
【図１０】サービスの類型２（ＩａａＳ利用型）を示す図
【図１１】サービスの類型３（ＰａａＳ利用型）を示す図
【図１２】サービスの類型４（ＳａａＳ利用型）を示す図
【発明を実施するための形態】
【００１１】
以下、本発明の実施の形態について、図面を参照して詳細に説明する。ただし、実施の形態の説明に用いる各図面において同一の構成、処理動作には同一の符号を付すものとし、それらについて重複する説明は省略する。
【００１２】
＜情報提示システムの構成＞
まず、図１を用いて、本発明の実施の形態に係る情報提示システムおよび情報提示装置の構成について説明する。図１は、本実施の形態に係る情報提示システムおよび情報提示装置の構成の一例を示すブロック図である。
【００１３】
図１に示すように、本実施の形態の情報提示システムは、建物１０において、エアコン（エアーコンディショナー装置）２０１、温度センサ２０２、分電盤３０、情報提示装置１００を有する。
【００１４】
建物１０は、例えば、一戸建ての住宅である。なお、建物１０は、一戸建ての住宅に限定されず、例えば、集合住宅における専有部分１戸分でもよいし、一棟のオフィスビルでもよいし、オフィスビルにおける専有部分１区画分でもよい。
【００１５】
建物１０は、部屋２０（区画の一例）を有する。部屋２０には、分電盤３０から供給される電力により動作するエアコン２０１（機器の一例）と、部屋２０の室内の温度を検出する温度センサ２０２（環境センサの一例）とが設置されている。なお、温度センサ２０２は、室温だけでなく、体感温度を測定できてもよい。
【００１６】
なお、図１では、部屋２０のみを示しているが、建物１０には、複数の部屋が存在してもよい。また、部屋２０には、エアコン２０１以外の機器（分電盤３０から供給される電力により動作するもの。例えば、扇風機等）が設置されてもよい。また、本実施の形態では、建物１０における区画の一例が部屋である場合を例に挙げて説明するが、区画は、部屋に限定されない。
【００１７】
エアコン２０１は、分電盤３０を介して、情報提示装置１００の入力部１０１と電気的に接続されている。また、温度センサ２０２は、情報提示装置１００の入力部１０１と電気的に接続されている。
【００１８】
情報提示装置１００は、例えば、住宅で使用されるエネルギーを管理するＨＥＭＳ（Home Energy Management System）である。なお、本実施の形態では、エネルギーが電力である場合を例に挙げて説明する。
【００１９】
情報提示装置１００は、図１に示すように、入力部１０１、記憶部１０２、出力部１０３、制御部１０４を有する。
【００２０】
入力部１０１は、ボタン、タッチパネルなどの入力デバイスである。
【００２１】
例えば、入力部１０１は、事前設定操作、情報出力指示操作などを受け付ける。事前設定操作とは、例えば、建物１０の居住者（ユーザの一例）が、建物１０における部屋（例えば、部屋２０）と、その部屋に設置された機器（例えば、エアコン２０１）と、その部屋に設置された環境センサ（例えば、温度センサ２０２）との対応付けを指定する操作である。情報出力指示操作とは、例えば、建物１０の居住者が、差分情報の出力を指示する操作である。差分情報の詳細については後述する。
【００２２】
記憶部１０２は、メモリ、ハードディスク装置などの記憶デバイスである。
【００２３】
例えば、記憶部１０２は、関数データおよびテーブルを記憶する。関数データの詳細については図３を用いて後述し、テーブルの詳細については図４を用いて後述する。
【００２４】
出力部１０３は、ディスプレイなどの表示デバイス、または、スピーカなどの音声出力デバイスである。
【００２５】
例えば、出力部１０３は、差分情報を表示する。なお、本実施の形態では、差分情報の出力の形態が表示である場合を例に挙げて説明する。
【００２６】
制御部１０４は、種々の情報処理を実行するプロセッサなどの制御デバイスである。
【００２７】
制御部１０４は、図２に示すように、第１の消費量計測部３０１、第２の消費量算出３０２、情報生成部３０３を有する。
【００２８】
第１の消費量計測部３０１は、部屋２０に設置された機器（例えば、エアコン２０１）が実際に消費した電力量を示す電力データを、分電盤３０を介して取得する。なお、第１の消費量計測部３０１は、分電盤３０を介さずに、機器から直接電力データを取得してもよい。
【００２９】
そして、第１の消費量計測部３０１は、取得した電力データに基づいて、所定の時間帯（所定の期間の一例。例えば、１時間）毎に、消費電力量（以下、第１の消費量という）を計測する。第１の消費量とは、部屋２０に設置された機器の動作により実際に消費された電力量である。
【００３０】
なお、部屋２０において、エアコン２０１以外に扇風機（図示略）が設置されている場合、第１の消費量計測部３０１は、エアコン２０１と扇風機のそれぞれの電力データに基づいて第１の消費量を計測する。例えば、所定の時間帯において、エアコン２０１が動作しており、扇風機が動作していない場合、計測される第１の消費量は、エアコン２０１の動作により実際に消費された電力量となる。また、例えば、所定の時間帯において、扇風機が動作しており、エアコン２０１が動作していない場合、計測される第１の消費量は、扇風機の動作により実際に消費された電力量となる。また、例えば、所定の時間帯において、エアコン２０１と扇風機の両方が動作している場合、計測される第１の消費量は、エアコン２０１の動作により実際に消費された電力量と扇風機の動作により実際に消費された電力量の合計となる。
【００３１】
第２の消費量算出部３０２は、温度センサ２０２により検出された部屋２０の室温の値（環境値の一例）を示す室温データを取得する。また、第２の消費量算出部３０２は、記憶部１０２から関数データ（図３参照）を読み出す。
【００３２】
そして、第２の消費量算出部３０２は、室温データと関数データに基づいて、所定の時間帯（所定の期間の一例。例えば、１時間）毎に、消費電力量（以下、第２の消費量という）を算出する。第２の消費量とは、室温データの室温を維持するためにエアコン２０１が消費するとされる電力量である。
【００３３】
ここで、図３を用いて、所定の時間帯における第２の消費量の算出処理の一例について説明する。図３は、関数データの一例（第１の対応関係データの一例）を示す図である。図３において、縦軸は第２の消費量を示しており、横軸は室温を示している。関数Ｆは、例えば、実験等の結果に基づいて予め算出された関数である。
【００３４】
まず、第２の消費量算出部３０２は、図３に示す関数データを記憶部１０２から読み出す。次に、第２の消費量算出部３０２は、所定の時間帯（例えば、０時〜０時５９分）において取得した複数の室温データから室温の代表値ｔを算出する。そして、第２の消費量算出部３０２は、図３に示すように、算出した代表値ｔと関数Ｆに基づいて、第２の消費量ｐｃを決定する。
【００３５】
このようにして、０時〜０時５９分における第２の消費量ｐｃが算出される。なお、０時〜０時５９分以外の時間帯においても、同様に第２の消費量ｐｃが算出される。
【００３６】
なお、上記説明では、関数Ｆは、実験等の結果に基づいて予め算出されたものであるとしたが、例えば、過去に計測された第１の消費量と、過去に検出された室温の値とに基づいて学習されたものであってもよい。または、例えば、関数Ｆは、実験等の結果に基づいて予め算出された関数に対し、上記学習の結果が反映されたものであってもよい。さらに、上記学習では、天候、季節などのパラメータが反映されてもよい。
【００３７】
以上、所定の時間帯における第２の消費量の算出処理の一例について説明した。以下、図２の説明に戻る。
【００３８】
情報生成部３０３は、入力部１０１が事前設定操作を受け付けると、その操作により指定された部屋、機器、環境センサの対応付けを示すテーブルを作成し、そのテーブルを記憶部１０２に記憶させる。
【００３９】
その後、情報生成部３０３は、各時間帯において、第１の消費量計測部３０１により第１の消費量が計測され、第２の消費量算出部３０２により第２の消費量が算出されると、上記テーブルにおいて、時間帯毎に第１の消費量と第２の消費量を登録する。
【００４０】
ここで、図４を用いて、テーブルの一例について説明する。図４は、テーブルの一例を示す図である。
【００４１】
図４に示すように、テーブル４０は、部屋情報４０１、機器情報４０２、環境センサ情報４０３、時間帯情報４０４、第１の消費量情報４０５、第２の消費量情報４０６、代表値情報４０７を含む。
【００４２】
部屋情報４０１は、事前設定操作により指定された部屋を示す情報である。図４の例では、部屋情報４０１として、部屋２０が登録されている。
【００４３】
機器情報４０２は、事前設定操作により指定された機器を示す情報である。図４の例では、機器情報４０２として、エアコン２０１が登録されている。
【００４４】
環境センサ情報４０３は、事前設定操作により指定された環境センサを示す情報である。図４の例では、環境センサ情報４０３として、温度センサ２０２が登録されている。
【００４５】
時間帯情報４０４は、予め定められた時間帯を示す情報である。図４の例では、時間帯情報４０４として、１時間単位の時間帯が１日分登録されている。ここでは、時間帯を１時間単位としたが、これに限定されず、例えば、１０分単位、３０分単位等であってもよい。また、時間帯情報４０４が示す各時間帯は、建物１０の居住者により指定されてもよい。
【００４６】
第１の消費量情報４０５は、第１の消費量計測部３０１により計測された第１の消費量を示す情報である。
【００４７】
第２の消費量情報４０６は、第２の消費量算出部３０２により算出された第２の消費量を示す情報である。
【００４８】
図４において、２１時〜２１時５９分の時間帯、２２時〜２２時５９分の時間帯、および２３時〜２３時５９分の時間帯には、それぞれ、第２の消費量「５０」が登録されている。ここでの第２の消費量「５０」は、例えば、部屋２０の室温を２８度に維持するためにエアコン２０１が消費するとされる電力量である。
【００４９】
一方、図４において、２１時〜２１時５９分の時間帯には第１の消費量「０」が登録され、２２時〜２２時５９分の時間帯には第１の消費量「２５」が登録され、２３時〜２３時５９分の時間帯には第１の消費量「５０」が登録されている。ここでの第１の消費量「０」は、例えば、建物１０の居住者がエアコン２０１および扇風機を使用せずに窓を開けるなどの行為（省エネに寄与する行為の一例）を実行したことで、室温が２８度に維持された場合の電力量である。また、第１の消費量「２５」は、例えば、建物１０の居住者がエアコン２０１の代わりに他の機器（例えば、扇風機）を使用するなどの行為（省エネに寄与する行為の一例）を実行したことで、室温が２８度に維持された場合の電力量である。また、第１の消費量「５０」は、例えば、建物１０の居住者が、エアコン２０１を使用する行為（例えば、温度を２８度に設定して動作させる行為）を実行したことで、室温が２８度に維持された場合の電力量である。
【００５０】
代表値情報４０７は、室温の代表値を示す情報である。図４の例では、代表値情報４０７として、「２８度」が登録されている。なお、図４では、登録されている代表値が全て２８度であるとしたが、時間帯毎に異なる代表値が登録されてもよい。
【００５１】
以上、テーブルの一例について説明した。以下、図２の説明に戻る。
【００５２】
情報生成部３０３は、入力部１０１が情報出力指示操作を受け付けると、記憶部１０２からテーブルを読み出し、そのテーブルに基づいて、第２の消費量と第１の消費量との差分を算出する。
【００５３】
例えば、情報出力指示操作を２３時に受け付け、図４に示したテーブル４０を読み出した場合について説明する。この場合、まず、情報生成部３０３は、時間帯情報４０４が示す０時０分（１日の始まりの時刻の一例）〜２２時５９分（情報出力指示操作を受け付けた時刻の直前の時刻の一例）までの時間帯のそれぞれにおいて、第２の消費量情報４０６が示す第２の消費量から第１の消費量情報４０５が示す第１の消費量を差し引くことで、各時間帯の差分を算出する。そして、情報生成部３０３は、算出した各時間帯の差分を合計することで、０時０分〜２２時５９分における差分を算出する。
【００５４】
０時０分〜２２時５９分における差分が正の値である場合、省エネが実現されたこと（換言すれば、省エネに寄与する行為が実行されたことで省エネ効果（使用電力削減効果ともいう）が得られたこと）になる。一方、０時０分〜２２時５９分における差分が負の値である場合、省エネが実現されなかったこと（換言すれば、省エネに寄与する行為が実行されなかったことで省エネ効果（使用電力削減効果ともいう）が得られなかったこと）になる。
【００５５】
情報生成部３０３は、算出した差分（例えば、０時０分〜２２時５９分における差分）を示す差分情報を生成し、その差分情報を表示するように出力部１０３を制御する。これにより、差分情報は、出力部１０３に表示され、建物１０の居住者に提示される。
【００５６】
なお、差分情報は、差分以外に、部屋、機器、環境センサ、時間帯などを示す情報を含んでもよい。
【００５７】
以上、情報提示装置１００の構成について説明した。
【００５８】
なお、図１の例では、情報提示装置１００が入力部１０１、記憶部１０２、および出力部１０３を含む構成としたが、入力部１０１、記憶部１０２、出力部１０３の少なくとも１つが、情報提示装置１００の外部に設けられてもよい。
【００５９】
＜情報提示装置の動作＞
次に、図５を用いて、本発明の実施の形態に係る情報提示装置１００の動作について説明する。図５は、実施の形態に係る情報提示装置１００の動作（情報提示処理）の流れの一例を示すフローチャートである。
【００６０】
まず、入力部１０１は、建物１０の居住者により行われる事前設定操作を受け付ける（ステップＳ１０１）。例えば、事前設定操作では、部屋２０と、エアコン２０１と、温度センサ２０２との対応付けが指定される。
【００６１】
次に、制御部１０４の情報生成部３０３は、事前設定操作により指定された部屋、機器、環境センサの対応付けを示すテーブルを作成し、そのテーブルを記憶部１０２に記憶させる（ステップＳ１０２）。例えば、図４に示したテーブル４０が作成される。ただし、この時点では、時間帯情報４０４が示す各時間帯において、第１の消費量情報４０５および第２の消費量情報４０６は未登録である。
【００６２】
次に、制御部１０４の第１の消費量計測部３０１は、部屋２０に設置された機器が実際に消費した電力量を示す電力データを取得し、取得した電力データに基づいて、所定の時間帯毎に第１の消費量を計測し、その第１の消費量を上記テーブルに登録する（ステップＳ１０３）。例えば、部屋２０にエアコン２０１および扇風機（図示略）が設置されている場合、第１の消費量計測部３０１は、各時間帯においてエアコン２０１の電力データおよび扇風機の電力データに基づいて第１の消費量を計測し、計測した各第１の消費量を示す第１の消費量情報４０５を、時間帯情報４０４が示す各時間帯に対応させてテーブル４０に登録する。
【００６３】
次に、第２の消費量算出部３０２は、温度センサ２０２により検出された部屋２０の室温の値を示す室温データを取得し、取得した室温データと、記憶部１０２から読み出した関数データ（例えば、図３参照）とに基づいて、所定の時間帯毎に第２の消費量を算出する（ステップＳ１０４）。例えば、算出される第２の消費量は、室温データが示す室温を維持するためにエアコン２０１が消費するとされる電力量である。第２の消費量算出部３０２は、各時間帯において算出した各第２の消費量を示す第２の消費量情報４０６を、時間帯情報４０４が示す各時間帯に対応させてテーブル４０に登録する。
【００６４】
次に、情報生成部３０３は、入力部１０１が情報出力指示操作を受け付けたか否かを判定する（ステップＳ１０５）。上述したとおり、情報出力指示操作とは、例えば、建物１０の居住者が、差分情報の出力を指示する操作である。例えば、建物１０の居住者は、差分情報を確認したいタイミングで、情報出力指示操作を行う。
【００６５】
ステップＳ１０５の判定の結果、情報出力指示操作を受け付けていない場合（ステップＳ１０５：ＮＯ）、フローは、ステップＳ１０３へ戻る。
【００６６】
ステップＳ１０５の判定の結果、情報出力指示操作を受け付けた場合（ステップＳ１０５：ＹＥＳ）、情報生成部３０３は、記憶部１０２から読み出したテーブルに基づいて、第２の消費量と第１の消費量との差分を算出する（ステップＳ１０６）。上述したとおり、例えば、情報出力操作を２３時に受け付けた場合、情報生成部３０３は、図４に示したテーブル４０に基づいて、０時０分〜２２時５９分における差分を算出する。
【００６７】
次に、情報生成部３０３は、算出した差分を示す差分情報を生成する（ステップＳ１０７）。そして、情報生成部３０３は、生成した差分情報を表示するように出力部１０３を制御する。この制御により、出力部１０３は、差分情報を表示する（ステップＳ１０８）。例えば、０時０分〜２２時５９分における差分を示す情報の他に、部屋２０、エアコン２０１、温度センサ２０２、０時０分〜２２時５９分の時間帯などを示す情報が表示されてもよい。
【００６８】
以上のようにして、差分情報は、建物１０の居住者に提示される。
【００６９】
なお、上記説明では、第１の消費量の算出処理（ステップＳ１０３）の後で第２の消費量の算出処理（ステップＳ１０４）が行われるとしたが、それらの処理は並行して行われてもよい。
【００７０】
以上、情報提示装置１００の動作について説明した。
【００７１】
これまで説明してきたように、本実施の形態によれば、建物１０の部屋２０に設置されたエアコン２０１等が実際に消費した電力量である第１の消費量を計測し、部屋２０で検出された室温と関数データに基づいて、検出された室温を維持するためにエアコン２０１が消費するとされる電力量である第２の消費量を算出し、第２の消費量と第１の消費量との差分を示す差分情報を生成し、その差分情報を表示する。よって、本実施の形態によれば、差分情報（例えば、省エネに寄与する行為の実行により得られた省エネ効果（使用電力削減効果ともいう）を示す情報）を建物１０の居住者に知らせることができる。建物１０の居住者は、差分情報に示される差分の値を見て、省エネをどのくらい実現できたかを把握できる。
【００７２】
本発明の実施の形態について説明したが、本発明は、その趣旨を逸脱しない範囲において種々の変形が可能である。以下、本発明の変形例について説明する。
【００７３】
＜変形例１＞
上記実施の形態では、差分情報が情報提示装置１００の出力部１０３において出力される場合を例に挙げて説明したが、これに限定されない。例えば、情報提示装置１００において所定のネットワーク（例えば、インターネット）を介した通信を行う通信部（図示略）を備えるように構成し、その通信部から所定の端末（例えば、ユーザが使用するスマートフォン、タブレット等）へ差分情報が送信されるようにしてもよい。この場合、差分情報は、所定の端末において出力されることになる。
【００７４】
本変形例によれば、ユーザは、建物１０の外部にいる場合でも差分情報を確認することができる。
【００７５】
＜変形例２＞
上記実施の形態では、差分情報が情報提示装置１００の出力部１０３において表示される場合を例に挙げて説明したが、これに限定されない。例えば、差分情報は、出力部１０３において音声出力されてもよい。または、例えば、差分情報は、出力部１０３において表示された上で音声出力されてもよい。
【００７６】
本変形例によれば、ユーザは、差分情報をさらに把握しやすくなる。
【００７７】
＜変形例３＞
上記実施の形態では、エアコン２０１に対応する環境センサが温度センサ２０２である場合を例に挙げて説明したが、これに限定されない。例えば、温度センサ２０２の代わりに、部屋２０の室内の湿度を検出する湿度センサを用いてもよい。
【００７８】
＜変形例４＞
上記実施の形態では、部屋２０に設置される機器がエアコン２０１であり、それに対応する環境センサが温度センサ２０２である場合を例に挙げて説明したが、これに限定されない。例えば、部屋２０に設置される機器が照明機器であり、それに対応する環境センサが、部屋２０の室内の照度を検出する照度センサであってもよい。この場合、第２の消費量は、照度センサが検出する照度を維持するために照明機器が消費するとされる電力量となる。
【００７９】
＜変形例５＞
上記実施の形態において、建物１０に複数の部屋が存在する場合、部屋毎に図４に示したテーブルが作成されてもよい。この場合、各テーブルに基づいて、部屋毎の差分情報が生成され、出力される。また、部屋毎の差分情報を合わせることで、建物１０全体の差分情報が生成され、出力されてもよい。また、部屋毎の差分情報を出力するか、または、建物１０全体の差分情報を出力するかを、ユーザが指定できるようにしてもよい。さらに、部屋毎の差分情報を出力する場合、どの部屋の差分情報を出力するかを、ユーザが指定できるようにしてもよい。
【００８０】
本変形例によれば、ユーザは、部屋毎の差分情報または建物１０全体の差分情報を確認できる。
【００８１】
＜変形例６＞
上記実施の形態において、例えば、部屋２０に、異なる種類の複数の機器（例えば、エアコン２０１と照明機器）と、異なる種類の複数の環境センサ（温度センサ２０２と照度センサ）とが設置されている場合、機器毎の差分情報（エアコン２０１の差分情報と照明機器の差分情報）が生成され、出力されてもよい。また、機器毎の差分情報を出力する場合、どの機器の差分情報を出力するかを、ユーザが指定できるようにしてもよい。なお、その場合、ユーザは、機器自体を指定してもよいし、その機器に対応する環境センサを指定してもよい（環境センサが指定された場合、機器と環境センサの対応付けにより、機器が特定される）。
【００８２】
また、例えば、建物１０に複数の部屋が存在し、各部屋に、異なる種類の複数の機器（例えば、エアコン２０１と照明機器）と、それらの機器に対応する異なる種類の複数の環境センサ（温度センサ２０２と照度センサ）が設置されている場合、以下のように処理を行ってもよい。すなわち、機器毎の差分情報を合わせることで、建物１０に設置された同一種類の機器（例えば、エアコン２０１または照明機器）全体の差分情報が生成され、出力されてもよい。また、機器毎の差分情報を出力するか、または、同一種類の機器全体の差分情報を出力するかを、ユーザが指定できるようにしてもよい。
【００８３】
本変形例によれば、ユーザは、機器毎の差分情報または建物１０に設置された同一種類の機器全体の差分情報を確認できる。
【００８４】
＜変形例７＞
上記実施の形態では、差分情報の生成、出力のタイミングが、情報出力指示操作を受け付けたときである場合を例に挙げて説明したが、これに限定されない。例えば、ユーザにより予め指定されたタイミング（例えば、時刻）で、差分情報の生成、出力が行われてもよい。
【００８５】
本変形例によれば、ユーザは、情報出力指示操作を行うことなく、所望のタイミングで差分情報を確認できる。
【００８６】
＜変形例８＞
上記実施の形態では、差分の算出対象の時間帯が０時０分〜２２時５９分である場合を例に挙げて説明したが、これに限定されない。例えば、差分の算出対象の時間帯は、ユーザにより予め指定された時間帯であってもよい。
【００８７】
本変形例によれば、ユーザは、所望の時間帯における差分を確認できる。
【００８８】
＜変形例９＞
上記実施の形態では、情報提示装置１００が建物１０に設置される場合を例に挙げて説明したが、これに限定されない。例えば、情報提示装置１００は、所定のネットワークに配置されたサーバ装置であってもよい。この場合の情報提示システムの構成例を図６に示す。なお、図６において、図１と同一の構成要素については同一符号を付し、それらの説明は省略する。
【００８９】
図６に示すように、本変形例の情報提示システムは、実施の形態で説明した図１の構成と比べて、情報提示装置１００が通信部１０５を備え、入力部１０１および出力部１０３を備えない点と、建物１０が通信装置５０および表示装置６０を備える点とが異なる。
【００９０】
通信装置５０は、温度センサ２０２から室温データを受け取ると、その室温データを、所定のネットワークを介して情報提示装置１００へ送信する。また、通信装置５０は、エアコン２０１から分電盤３０を介して電力データを受け取ると、その電力データを、所定のネットワークを介して情報提示装置１００へ送信する。
【００９１】
情報提示装置１００の通信部１０５は、通信装置５０から室温データおよび電力データを受信し、制御部１０４へ出力する。制御部１０４は、通信部１０５から受け取った室温データおよび電力データに基づいて、実施の形態で説明したとおり、第１の消費量の計測処理、第２の消費量の算出処理、差分情報の生成処理等を行う。そして、制御部１０４は、生成した差分情報を通信装置５０へ送信するように通信部１０５を制御する。これにより、通信部１０５は、差分情報を、所定のネットワークを介して通信装置５０へ送信する。
【００９２】
通信装置５０は、通信部１０５から送信された差分情報を受信すると、その差分情報を表示装置６０へ出力する。表示装置６０は、通信装置５０から受け取った差分情報を表示する。これにより、差分情報は建物１０の居住者に提示される。
【００９３】
本変形例によれば、実施の形態と同様に、差分情報を建物１０の居住者に知らせることができる。建物１０の居住者は、差分情報に示される差分の値を見て、省エネをどのくらい実現できたかを把握できる。また、本変形例によれば、建物１０に情報提示装置１００を備える必要がないため、複数の建物１０に対する差分情報の生成処理等を一括して行うことができる。
【００９４】
なお、本変形例では表示装置６０を建物１０に備える場合を例に挙げて説明したが、表示装置６０は、例えば、ユーザが使用するスマートフォン、タブレット等であってもよい。
【００９５】
また、本変形例において、エアコン２０１の電力データは、分電盤３０を介して通信装置５０へ出力されるとしたが、直接通信装置５０へ出力されてもよい。または、エアコン２０１が通信機能を備えている場合、エアコン２０１の電力データは、通信装置５０を介さずに、所定のネットワークを介して情報提示装置１００へ送信されてもよい。
【００９６】
＜変形例１０＞
上記実施の形態では、算出した差分を示す差分情報を出力する場合を例に挙げて説明したが、差分を費用（金額）に換算して示す情報を出力してもよい。例えば、情報生成部３０３は、電力量と費用との対応関係が予め定められた対応関係データ（第２の対応関係データの一例）を記憶部１０２から読み出し、その対応関係データにおいて、算出した差分に対応する費用を算出する。そして、情報生成部３０３は、算出した費用を示す費用情報を生成し、その費用情報を出力部１０３に出力させる。
【００９７】
本変形例によれば、ユーザは、差分に対応する費用を確認することができる。
【００９８】
なお、費用情報は、差分情報の代わりに出力されてもよいし、差分情報と併せて出力されてもよい。
【００９９】
＜変形例１１＞
上記実施の形態において、差分情報に加えて、その差分情報が示す差分に応じたコメントを示すコメント情報を出力してもよい。例えば、情報生成部３０３は、算出した差分が正の値である場合、省エネの達成を通知するコメント（例えば、「省エネを達成できました」等）を示すコメント情報を生成し、そのコメント情報を出力部１０３に出力させる。一方、例えば、情報生成部３０３は、算出した差分が負の値である場合、省エネの未達成を通知するコメント（例えば、「省エネを達成できませんでした」）を示すコメント情報を生成し、そのコメント情報を出力部１０３に出力させる。
【０１００】
本変形例によれば、ユーザは、省エネを達成できたか否かを容易に認識することができる。
【０１０１】
なお、コメント情報は、差分情報の代わりに出力されてもよい。また、コメント情報は、変形例１０で説明した費用情報と併せて出力されてもよい。
【０１０２】
また、コメントの内容を、差分の大きさに応じて変化させてもよい。
【０１０３】
また、コメント情報の出力の形態は、画面表示および音声出力の少なくとも一方であればよい。
【０１０４】
＜変形例１２＞
上記実施の形態において、情報生成部３０３は、さらに、以下の動作を行ってもよい。例えば、まず、情報生成部３０３は、差分の算出を所定間隔で（定期的に）行い、差分を算出する度にその差分が所定の閾値（例えば、ゼロ）を下回ったか否かを判定する。そして、情報生成部３０３は、差分が所定の閾値を下回ったタイミングで、または、そのタイミングから一定時間経過後に、機器（例えば、エアコン２０１）が消費する電力量を低減させる制御情報を生成し、その制御情報を機器へ出力する。これにより、機器（例えば、エアコン２０１）の消費電力量が低減される。ここでいう低減とは、消費電力量をゼロにする（機器をオフにする）ことを含む。
【０１０５】
本変形例によれば、差分が所定閾値を下回った場合に、ユーザの操作によらず、自動的に機器の消費電力量を低減させることで、無駄な電力消費を抑えることができる。
【０１０６】
＜変形例１３＞
上記実施の形態において、情報生成部３０３は、さらに、以下の動作を行ってもよい。例えば、まず、情報生成部３０３は、差分の算出を所定間隔で（定期的に）行い、差分を算出する度にその差分が所定の閾値（例えば、ゼロ）を下回ったか否かを判定する。そして、情報生成部３０３は、差分が所定の閾値を下回ったタイミングで、コメント情報を生成し、そのコメント情報を出力部１０３に出力させる。
【０１０７】
ここでのコメント情報は、例えば、省エネに寄与する行為の実行を促す旨のコメント、または、今まで省エネを達成できていた旨のコメントのいずれかを示す情報である。前者のコメントとしては、例えば、機器がエアコン２０１である場合には「エアコンをオフにして窓を開けましょう」や「設定温度を変更しましょう」といったコメント、機器が照明機器である場合には「消灯しましょう」や「照度を下げましょう」といったコメントが挙げられる。また、後者のコメントとしては、例えば、「今まで省エネを達成できていました」といったコメントが挙げられる。
【０１０８】
本変形例によれば、ユーザは、省エネに寄与する行為を実行すべきタイミングを把握できる、または、今まで省エネを達成できていたことを容易に知ることができる。
【０１０９】
なお、コメント情報の出力の形態は、画面表示および音声出力の少なくとも一方であればよい。
【０１１０】
＜変形例１４＞
上記実施の形態において、情報生成部３０３は、さらに、以下の動作を行ってもよい。例えば、まず、情報生成部３０３は、差分の算出を所定間隔で（定期的に）行い、差分を算出する度にその差分が所定の第１閾値（例えば、ゼロ）を下回ったか否かを判定する。次に、情報生成部３０３は、差分が第１閾値を下回った場合、差分の算出に用いた第１の消費量が所定の第２閾値を上回ったか否かを判定する。第２閾値は、例えば、機器がエアコン２０１である場合、図３に示した関数データにおいて、温度センサ２０２が検出した室温以上の室温に対応する第２の消費量である。次に、情報生成部３０３は、第１の消費量が第２閾値を上回った場合、コメント情報を生成し、そのコメント情報を出力部１０３に出力させる。
【０１１１】
ここでのコメント情報は、例えば、機器のメンテナンスを促す旨のコメントを示す情報である。コメントとしては、例えば、「機器が故障している可能性があります。サービスセンターへお問い合せ下さい」や「機器の清掃を行ってください」といったコメントが挙げられる。
【０１１２】
本変形例によれば、ユーザは、機器のメンテナンスを行うべきタイミングを容易に知ることができる。
【０１１３】
なお、コメント情報の出力の形態は、画面表示および音声出力の少なくとも一方であればよい。
【０１１４】
＜変形例１５＞
上記実施の形態において、情報生成部３０３は、さらに、以下の動作を行ってもよい。ここでは、エアコン２０１と温度センサ２０２を例に挙げて説明する。例えば、まず、情報生成部３０３は、温度センサ２０２より検出された部屋２０の室温と、温度センサ２０２以外のセンサにより検出された部屋２０の外部の温度（例えば、外気温）との差が所定の閾値を下回ったか否かを判定する。次に、情報生成部３０３は、室温と外部の温度との差が所定の閾値を下回った場合、エアコン２０１が動作したタイミングで、コメント情報を生成し、そのコメント情報を出力部１０３に出力させる。
【０１１５】
ここでのコメント情報は、エアコン２０１により消費される電力量が無駄になる旨のコメント、および、省エネに寄与する行為の実行を促す旨のコメントのうち少なくとも一方を示す情報である。前者のコメントとしては、例えば、「室温と外気温とに差がありません。エアコンを動作させると電力の無駄になります」といったコメントが挙げられる。後者のコメントとしては、例えば、「エアコンをオフにして窓を開けましょう」や「エアコンをオフにして扇風機を使いましょう」といったコメントが挙げられる。
【０１１６】
本変形例によれば、ユーザは、省エネに寄与する行為を実行すべきタイミングを把握できる。
【０１１７】
なお、コメント情報の出力の形態は、画面表示および音声出力の少なくとも一方であればよい。
【０１１８】
また、上記説明では、機器がエアコン２０１であり、環境センサが温度センサ２０２である場合を例に挙げて説明したが、機器が照明機器であり、環境センサが照度センサである場合にも、同様に適用できる。その場合、情報生成部３０３は、室内と室外の照度の差が所定の閾値を下回った場合に、照明機器により消費される電力量が無駄になる旨のコメント、および、省エネに寄与する行為（例えば、照明機器を消灯して自然光を取り入れる行為）の実行を促す旨のコメントのうち少なくとも一方を示すコメント情報を生成する。
【０１１９】
＜変形例１６＞
上記実施の形態において、建物１０に設置された情報提示装置１００は、部屋２０とは別の区画に対して生成された差分情報を所定のネットワーク（例えば、インターネット、または、ＬＡＮ等）を介して取得し、その差分情報を出力部１０３または情報提示装置１００以外の端末装置（図示略）に出力してもよい。
【０１２０】
例えば、建物１０が一戸建て住宅である場合、上記別の区画は、建物１０以外の一戸建て住宅全体、または、その住宅が備える所定の部屋（例えば、リビングルーム）である。また、例えば、建物１０が集合住宅である場合、上記別の区画は、部屋２０を含む専有部分１戸分以外の専有部分１戸分全体、または、その専有部分１戸分が備える所定の部屋（例えば、リビングルーム）である。
【０１２１】
本変形例によれば、ユーザは、他の建物または他の専有部分１戸分における差分情報を参照することができる。
【０１２２】
なお、本変形例では、情報提示装置１００が建物１０に設置されている場合を例に挙げて説明したが、変形例９で説明した情報提示システム（図６参照）においても実現可能である。例えば、所定のネットワークに配置された情報提示装置１００は、建物１０以外の建物に対して生成された差分情報を建物１０の通信装置５０へ送信する。これにより、建物１０の表示装置６０において、建物１０以外の建物の差分情報が表示される。
【０１２３】
＜変形例１７＞
上記実施の形態において、情報提示装置１００（例えば、情報生成部３０３）は、さらに、以下の動作を行ってもよい。例えば、まず、情報提示装置１００は、天候の予測に関する天候情報（例えば、天気予報の情報）を所定のネットワーク（例えば、インターネット）を介して取得する。次に、情報提示装置１００は、取得した天候情報に基づいて、区画において機器を動作させることなく所定の環境を実現可能であるか否かを判定する。次に、情報提示装置１００は、判定の結果を示す判定結果情報を生成し、その判定結果情報を出力部１０３または情報提示装置１００以外の端末装置（図示略）に出力してもよい。
【０１２４】
ここで、上記動作について、部屋２０に照明機器および照度センサが設置されている場合を例に挙げて具体的に説明する。
【０１２５】
例えば、情報提示装置１００は、取得した天候情報が日中の曇天または雨天を示す場合、自然光を取り入れる行為（省エネに寄与する行為の一例）を行ったとしても、照明機器を動作させないと所定の照度（例えば、３００ルクス）を実現することはできない（換言すれば、所定の照度を実現するためには照明機器を動作させる必要がある）と判定する。そして、情報提示装置１００は、例えば、照明機器の使用が必要となる旨のコメント、または、照明機器の代わりに他の手段を用いるように促す旨のコメントを示す判定結果情報を生成する。
【０１２６】
例えば、情報提示装置１００は、取得した天候情報が日中の晴天を示す場合、自然光を取り入れる行為によって照明機器を動作させずに所定の照度（例えば、３００ルクス）を実現することができる（換言すれば、所定の照度を実現するためには自然光を取り入れる行為の実行で足りるので照明機器を動作させる必要がない）と判定する。そして、情報提示装置１００は、例えば、照明機器の使用が必要ではない旨のコメント、または、照明機器の使用の代わりに自然光を取り入れる行為を実行するように促す旨のコメントを示す判定結果情報を生成する。
【０１２７】
本変形例によれば、ユーザは、省エネに寄与する行為を実行するか否かを容易に判断できる。
【０１２８】
＜変形例１８＞
上記実施の形態において、差分情報は、エアコン２０１を現行機種（現在ユーザが使用している機種）から新機種（現在ユーザが使用していない機種）に交換することで、さらに省エネ効果（使用電力削減効果ともいう）が得られることを示す情報を含んでもよい。その場合、例えば、情報提示装置１００（例えば、情報生成部３０３）は、図７に示す関数テーブルを用いて、機種変更により削減できる使用電力量を算出する。
【０１２９】
図７において、横軸は室温、縦軸は消費電力を示している。また、図７において、Ｐ＝Ｃ（ｓ）は、予め定められた現行機種の消費電力関数であり、Ｐ＝Ｃ’（ｓ）は、新機種の消費電力関数である。例えば、温度センサ２０２により検出された温度がＳｒである場合、現行機種の消費電力Ｐｃは、新機種の消費電力Ｐ’ｃより大きいことになる。この場合、情報提示装置１００は、ＰｃとＰ’ｃの差分を算出し、算出した値（すなわち、機種変更により削減できる使用電力量）を示す情報を差分情報に含めるように生成する。
【０１３０】
本変形例によれば、ユーザは、さらに、機種変更により削減できる使用電力量を知ることができる。
【０１３１】
以上、本発明の変形例を説明した。なお、上記変形例は任意に組み合わせてもよい。
【０１３２】
（コンピュータプログラムによる実現例）
実施の形態および変形例で説明した情報提示装置１００の機能は、コンピュータプログラムにより実現され得る。
【０１３３】
図８は、情報提示装置１００の機能をプログラムにより実現するコンピュータのハードウェア構成を示す図である。このコンピュータ１０００は、入力ボタンやタッチパッドなどの入力装置１００１、ディスプレイやスピーカなどの出力装置１００２、ＣＰＵ（Central Processing Unit）１００３、ＲＯＭ（Read Only Memory）１００４、ＲＡＭ（Random Access Memory）１００５を備える。また、コンピュータ１０００は、ハードディスク装置やＳＳＤ（Solid State Drive）などの記憶装置１００６、ＤＶＤ−ＲＯＭ（Digital Versatile Disk Read Only Memory）やＵＳＢ（Universal Serial Bus）メモリなどの記録媒体から情報を読み取る読取装置１００７、ネットワークを介して通信を行う送受信装置１００８を備える。上記各部は、バス１００９により接続される。
【０１３４】
そして、読取装置１００７は、上記各部の機能を実現するためのプログラムを記録した記録媒体からそのプログラムを読み取り、記憶装置１００６に記憶させる。あるいは、送受信装置１００８が、ネットワークに接続されたサーバ装置と通信を行い、サーバ装置からダウンロードした上記各部の機能を実現するためのプログラムを記憶装置１００６に記憶させる。
【０１３５】
そして、ＣＰＵ１００３が、記憶装置１００６に記憶されたプログラムをＲＡＭ１００５にコピーし、そのプログラムに含まれる命令をＲＡＭ１００５から順次読み出して実行することにより、上記各部の機能が実現される。また、プログラムを実行する際、ＲＡＭ１００５または記憶装置１００６には、実施の形態および変形例で述べた各種処理で得られた情報が記憶され、適宜利用される。
【０１３６】
（クラウドサービスの類型）
また、実施の形態および変形例において説明された技術は、例えば、以下のクラウドサービスの類型において実現されうる。しかし、実施の形態および変形例において説明された技術が実現される類型はこれに限られるものでない。
【０１３７】
（サービスの類型１：自社データセンタ型）
図９は、サービスの類型１（自社データセンタ型）を示す図である。本類型は、サービスプロバイダ１２が建物１０から情報を取得し、ユーザに対してサービスを提供する類型である。本類型では、サービスプロバイダ１２が、データセンタ運営会社の機能を有している。即ち、サービスプロバイダが、ビッグデータの管理をするクラウドサーバ（インターネットを介して様々な機器と連携する仮想化サーバ）を保有している。従って、データセンタ運営会社は存在しない。
【０１３８】
上記データセンタ運営会社とは、例えば、データ管理、クラウドサーバの管理、それらの管理を行うデータセンタの運営等を行う会社であるが、これに限定されない。例えば、建物１０にて使用される複数の機器のうちの一つの機器を開発・製造している機器メーカが、開発・製造と併せてデータ管理、クラウドサーバの管理等を行っている場合は、機器メーカがデータセンタ運営会社に該当する。また、データセンタ運営会社は一つの会社に限らない。例えば機器メーカおよび他の管理会社が共同もしくは分担してデータ管理やクラウドサーバの運営を行っている場合は、両者もしくはいずれか一方がデータセンタ運営会社に該当するものとする。なお、ここで説明したデータセンタ運営会社の定義は、後述する類型２〜４においても当てはまるものとする。
【０１３９】
本類型では、サービスプロバイダ１２は、データセンタ（クラウドサーバ）１２００ｃを運営、管理している。また、サービスプロバイダ１２は、ＯＳ１２００ｂおよびアプリケーション１２００ａを管理する。サービスプロバイダ１２は、サービスプロバイダ１２が管理するＯＳ１２００ｂおよびアプリケーション１２００ａを用いてユーザに対してサービス提供を行う（１２００ｄ）。
【０１４０】
（サービスの類型２：ＩａａＳ利用型）
図１０は、サービスの類型２（ＩａａＳ利用型）を示す図である。ここでＩａａＳとはインフラストラクチャー・アズ・ア・サービスの略であり、コンピュータシステムを構築および稼動させるための基盤そのものを、インターネット経由のサービスとして提供するクラウドサービス提供モデルである。
【０１４１】
本類型では、データセンタ運営会社がデータセンタ（クラウドサーバ）１２００ｃを運営、管理している。また、サービスプロバイダ１２は、ＯＳ１２００ｂおよびアプリケーション１２００ａを管理する。サービスプロバイダ１２は、サービスプロバイダ１２が管理するＯＳ１２００ｂおよびアプリケーション１２００ａを用いてユーザに対してサービス提供を行う（１２００ｄ）。
【０１４２】
（サービスの類型３：ＰａａＳ利用型）
図１１は、サービスの類型３（ＰａａＳ利用型）を示す図である。ここでＰａａＳとはプラットフォーム・アズ・ア・サービスの略であり、ソフトウェアを構築および稼動させるための土台となるプラットフォームを、インターネット経由のサービスとして提供するクラウドサービス提供モデルである。
【０１４３】
本類型では、データセンタ運営会社１１は、ＯＳ１２００ｂを管理し、データセンタ（クラウドサーバ）１２００ｃを運営、管理している。また、サービスプロバイダ１２は、アプリケーション１２００ａを管理する。サービスプロバイダ１２は、データセンタ運営会社が管理するＯＳ１２００ｂおよびサービスプロバイダ１２が管理するアプリケーション１２００ａを用いてユーザに対してサービス提供を行う（１２００ｄ）。
【０１４４】
（サービスの類型４：ＳａａＳ利用型）
図１２は、サービスの類型４（ＳａａＳ利用型）を示す図である。ここでＳａａＳとはソフトウェア・アズ・ア・サービスの略である。例えばデータセンタ（クラウドサーバ）を保有しているプラットフォーム提供者が提供するアプリケーションを、データセンタ（クラウドサーバ）を保有していない会社・個人（利用者）がインターネットなどのネットワーク経由で使用できる機能を有するクラウドサービス提供モデルである。
【０１４５】
本類型では、データセンタ運営会社１１は、アプリケーション１２００ａを管理し、ＯＳ１２００ｂを管理し、データセンタ（クラウドサーバ）１２００ｃを運営、管理している。また、サービスプロバイダ１２は、データセンタ運営会社１１が管理するＯＳ１２００ｂおよびアプリケーション１２００ａを用いてユーザに対してサービス提供を行う（１２００ｄ）。
【０１４６】
以上いずれの類型においても、サービスプロバイダ１２がサービス提供行為を行ったものとする。また例えば、サービスプロバイダ若しくはデータセンタ運営会社は、ＯＳ、アプリケーション若しくはビッグデータのデータベース等を自ら開発してもよいし、また、第三者に外注させてもよい。
【産業上の利用可能性】
【０１４７】
本発明は、消費エネルギーに関する情報を提示する情報提示方法および情報提示装置に用いるのに好適である。
【符号の説明】
【０１４８】
１０  建物
１１  データセンタ運営会社
１２  サービスプロバイダ
２０  部屋
３０  分電盤
５０  通信装置
６０  表示装置
１００  情報提示装置
１０１  入力部
１０２  記憶部
１０３  出力部
１０４  制御部
１０５  通信部
２０１  エアコン
２０２  温度センサ
１０００  コンピュータ
１００１  入力装置
１００２  出力装置
１００３  ＣＰＵ（Central Processing Unit）
１００４  ＲＯＭ（Read Only Memory）
１００５  ＲＡＭ（Random Access Memory）
１００６  記憶装置
１００７  読取装置
１００８  送受信装置
１００９  バス
１２００ａ  アプリケーション
１２００ｂ  ＯＳ
１２００ｃ  データセンタ（クラウドサーバ）
１２００ｄ  サービス提供
【図１】
2017068623.tif 000003
【図２】
2017068623.tif 000004
【図３】
2017068623.tif 000005
【図４】
2017068623.tif 000006
【図５】
2017068623.tif 000007
【図６】
2017068623.tif 000008
【図７】
2017068623.tif 000009
【図８】
2017068623.tif 000010
【図９】
2017068623.tif 000011
【図１０】
2017068623.tif 000012
【図１１】
2017068623.tif 000013
【図１２】
2017068623.tif 000014